(57)【要約】【課題】書籍、ファイル、カルテや物品等の収納に使用する金属製棚装置において、高所の棚板上に載置された書籍等の物品を、脚立や踏み台を用いることなく、取出したり、収納をすることができる。【解決手段】金属製棚装置Ｂの支柱１に回動自在に軸支する２枚の取付けプレート３に、凹部４を備えた足掛けプレート５を直角に連接固定すると共に、凹部４内にクッション用ゴム板７を装入固定する一方、取付けプレート３の背面側の下端縁には、釣合い重錘板８が取付け補助金具９を介して連結固定されると共に、釣合い重錘板８の上面部および前面部の下端面部に、クッション用ゴム板１４・１５をそれぞれ接着固定して足掛け装置Ａが形成され、且つ該足掛け装置Ａは、取付けプレート３で支柱１を挟持して、前記足掛けプレート５と釣合い重錘板８とが上下に揺動可能なるよう取付ける。【選択図】図１
2008174975.tif 000002
【特許請求の範囲】
【請求項１】
金属製棚装置を構成する断面方形状をなす支柱の巾よりやや巾広の間隔を有して、前記支柱の下方部の両側板に回動自在に軸支する２枚の取付けプレートの前面側の上端縁に、上下方向に凹部を備えた足掛けプレートの下端縁部を直角に連接固定すると共に、前記凹部内にクッション用ゴム板を装入固定する一方、前記取付けプレートの背面側の下端縁には、釣合い重錘板が取付け補助金具を介して、取付け螺子により直角に連結固定されると共に、前記釣合い重錘板の上面部および前面部の下端面部に、クッション用ゴム板をそれぞれ接着固定して足掛け装置が形成され、更に、前記足掛け装置は、前記支柱の前面板側に、足掛けプレートが位置すると共に、前記支柱の背面板側に釣合い重錘板が位置するように、取付けプレートで支柱を挟持して軸支し、該軸支部を支点として、前記足掛けプレートと釣合い重錘板とが、上下に揺動可能なるよう取付けられたことを特徴とする金属製棚装置における足掛け装置。
【発明の詳細な説明】
【技術分野】
【０００１】
本発明は、書籍、ファイル、カルテや物品等の収納に使用する金属製移動棚または金属製固定棚等の金属製棚装置において、高所の棚板上に載置された書籍等の物品を、脚立や踏み台を用いることなく、前記金属製棚装置を構成する支柱の下方側に取付けられた足掛けプレート上に、出納作業者が足を掛けて乗り立ち上がることにより、前記出納作業者の高さを高くして、高所の物品の取出し、または収納をすることができる金属製棚装置における足掛け装置に関するものである。
【背景技術】
【０００２】
従来、金属製移動棚または金属製固定棚等の金属製棚装置において、高所の棚板上に載置された書籍等の物品を取出したり、または収納する際には、脚立や踏み台を使用していた。そして、これら脚立や踏み台を使用する以外の取出・収納手段につき、過去の特許文献を遡及検索すると、下記の特許文献１に開示されたものが公知である。
【０００３】
【特許文献１】実開平４−７５８６２号公報
【発明の開示】
【発明が解決しようとする課題】
【０００４】
前記のように、従来は脚立や踏み台を使用していたために、通路内への脚立や踏み台の持込み、そして、これらの使用後は撤去する必要があり、極めて面倒であると共に、物品の出納作業に時間がかかるという課題があり、更には、通路内における他の作業者の邪魔になるという課題があった。
【０００５】
また、前記特許文献１に開示されたものは、特に押入れ構造のような収納棚構造のものに使用され、載置側のいずれかの前面端部に足掛け部が設けられたものであるが、該足掛け部は金属製棚装置には、構造上、または強度的にも適用できないという課題があった。
【０００６】
本発明は、前記課題を解決すべくなされたものであって、金属製棚装置の支柱に取付けられ、高所の棚板上の物品を取出・収納時に、出納作業者が足掛けプレートを突出させて、足を掛けて乗り立ち上がることにより、その分出納作業者の高さが高くなり、高所の物品の取出し、収納を容易にする共に、物品の取出・収納後は、前記出納作業者が足掛けプレートから降りると、該足掛けプレートの突出状態が自動的に解除されて支柱に圧接して、作業通路を確保することができる金属製棚装置における足掛け装置を提供しようとするものである。
【課題を解決するための手段】
【０００７】
前記課題を解決するために、本発明は、金属製棚装置を構成する断面方形状をなす支柱の巾よりやや巾広の間隔を有して、前記支柱の下方部の両側板に回動自在に軸支する２枚の取付プレートの前面側の上端縁に、上下方向に凹部を備えた足掛けプレートの下端縁部を直角に連接固定すると共に、前記凹部内にクッション用ゴム板を装入固定する一方、前記取付けプレートの背面側の下端縁には、釣合い重錘板が取付け補助金具を介して、取付け螺子により直角に連結固定されると共に、前記釣合い重錘板の上面部および前面部の下端面部に、クッション用ゴム板をそれぞれ接着固定して足掛け装置が形成され、更に、前記足掛け装置は、前記支柱の前面板側に、足掛けプレートが位置すると共に、前記支柱の背面板側に釣合い重錘板が位置するように、取付プレートで支柱を挟持して軸支し、該軸支部を支点として、前記足掛けプレートと釣合い重錘板とが、上下に揺動可能なるよう取付けるという手段を採用することにより、上記課題を解決した。
【発明の効果】
【０００８】
本発明金属製棚装置における足掛け装置は、金属製棚装置を構成する支柱の下方部に取付けられ、高所の棚板上の物品の取出・収納時に、出納作業者が足掛けプレートを突出させて、足を掛けて乗り立ち上がることにより、その分出納作業者の高さが高くなり、高所の物品の取出・収納が可能となり、且つ物品の取出・収納後は、前記足掛けプレートから前記出納作業者が降りると、該足掛けプレートの突出状態が自動的に解除されて支柱に圧接し、元の作業通路が確保され、次の出納作業の邪魔になることはない。
【実施例】
【０００９】
本発明の実施の一例を図面に基づいて詳細に説明する。本発明の足掛け装置は、新設、または既設を問わず、金属製棚装置を構成する各支柱の任意の位置に、自由に取付けることができるように構成されている。
【００１０】
すなわち、足掛け装置Ａは、図１に示すように、金属製棚装置Ｂを構成する断面方形状をなす支柱１のすべてに、あるいは１本または複数本に取付けられるが、該支柱１の巾よりやや巾広の間隔を有して、前記支柱１の下方部の両側板２に回動自在に軸支する２枚の取付けプレート３の前面側（通路側）の上端縁に、上下方向に凹部４を備えた足掛けプレート５の下端縁部を直角に連接固定して、該足掛けプレート５間の間隔を維持すると共に、前記凹部４内には、前記支柱１の前面板６に前記足掛けプレート５を圧接したとき、該前面板６を傷付けることもなく圧接できるように、クッション用ゴム板７が装入固定されている。
【００１１】
また、前記取付けプレート３の背面側の下端縁には、釣合い重錘板８が断面凹状をした取付け補助金具９を介して、取付け螺子１０により直角に連結固定されて、前記取付けプレート３間の間隔を維持すると共に、前記釣合い重錘板８の上面部１１および前面部１２の下端面部に、前記釣合い重錘板８が支柱１の背面板１３に圧接したとき、該背面板１３を傷付けることもなく、また騒音を発することもなく圧接できるように、クッション用ゴム板１４・１５をそれぞれ接着固定して足掛け装置Ａが形成される。
【００１２】
そして、前記構成より成る本発明足掛け装置Ａは、図４に示すように、金属製棚装置Ｂを構成する断面方形状の支柱１の前面板６側に、足掛けプレート５が位置すると共に、前記支柱１の背面板１３側に釣合い重錘板８が位置するように、取付けプレート３で支柱１を挟持して軸支１６し、該軸支１６部を支点として、前記足掛けプレート５と釣合い重錘板８とが、上下に揺動可能なるよう形成されている。
【００１３】
なお、本発明足掛け装置Ａの支柱１への取付けに当たっては、図５に示すように、前記釣合い重錘板８を前記取付け補助金具９を介して、取付けプレート３に取付ける前に、該取付けプレート３を支柱１に軸支１６した後、該釣合い重錘板８を取付け補助金具９を介して、取付け螺子１０により前記取付けプレート３に連結固定して、支柱１へ取付ける。
【００１４】
前記構成より成る本発明足掛け装置Ａの作用について説明する。先ず、作業者が金属製棚装置Ｂの高所の棚板Ｃ上に収納された物品を取出し、または収納する場合、図４に示す不使用時の状態から、支柱１の前面板６に圧接している足掛けプレート５を、手または足で前記釣合い重錘板８に抗して軸支１６部を支点として、通路側へ回動させると、該足掛けプレート５および釣合い重錘板８は、図６に示すような状態に保持固定される。図６の状態において、足掛けプレート５上に足を掛けて乗り立上ると、その分だけ出納作業者は高さが高くなり、高所の出納作業が可能となる。
【００１５】
そして、高所の出納作業が完了して、作業者が足掛けプレート５から足を降ろすと、釣合い重錘板８の重みにより前記軸支１６部を支点として、前記足掛けプレート５が上動して支柱１の前面板６に圧接すると共に、該釣合い重錘板８が下動して、前記支柱１の背面板１３に圧接して、図４のような状態となり、作業用通路は何の障害もなく確保される。なお、前記釣合い重錘板８の上面部１１のクッション用ゴム板１４は、図６に示すように、足掛けプレート５が突出した場合は、支柱１の背面板１３に圧接して、該支柱１の背面板１３を傷付けることもなく、また、騒音を発することもない。
【００１６】
また、図４に示すように、出納作業完了後は、前記釣合い重錘板８の前面部１２の下端面部のクッション用ゴム板１５が支柱１の背面板１３に圧接して、該支柱１の背面板１３を傷付けることもなく、また、騒音を発することもない。
【図面の簡単な説明】
【００１７】
【図１】本発明金属製棚装置における足掛け装置を支柱に取付けた状態を示す要部の斜視図である。
【図２】本発明金属製棚装置における足掛け装置を正面側から見た斜視図である。
【図３】同背面側から見た斜視図である。
【図４】本発明金属製棚装置における足掛け装置を支柱に取付けた状態を示す縦断面図である。
【図５】本発明金属製棚装置における足掛け装置を支柱に取付ける状態を示す組立分解斜視図である。
【図６】本発明金属製棚装置における足掛け装置の使用状態を示す縦断面図である。
【符号の説明】
【００１８】
Ａ      足掛け装置
Ｂ      金属製棚装置
１      支柱
２      側面板
３      取付けプレート
４      凹部
５      足掛けプレート
６      前面板
７      クッション用ゴム板
８      釣合い重錘板
９      取付け補助金具
１０    取付け螺子
１１    上面部
１２    前面部
１３    背面板
１４    クッション用ゴム板
１５    クッション用ゴム板
１６    軸支
【図１】
2008174975.tif 000003
【図２】
2008174975.tif 000004
【図３】
2008174975.tif 000005
【図４】
2008174975.tif 000006
【図５】
2008174975.tif 000007
【図６】
2008174975.tif 000008